(57)【要約】【課題】内部に可動光学系が配されるとともに、外周面部に可動光学系に対する調整可動機構が設けられた鏡胴を備え、鏡胴内部の可動光学系の位置もしくは状態をあらわす表示を、容易かつ直接に見ることができるものとする。【解決手段】鏡胴外周面部２８におけるフォーカス調整可動機構２９，ズーミング調整可動機構３０及び絞り調整可動機構３１の近傍に配された、光学的表示手段を成すフォーカスレンズ位置表示部３２，ズームレンズ位置表示部３３及び絞り状態表示部３４を備え、鏡胴２４内のフォーカスレンズの位置に応じた光学的表示をフォーカスレンズ位置表示部３２に行わせ、鏡胴２４内のズームレンズの位置に応じた光学的表示をズームレンズ位置表示部３３に行わせ、鏡胴２４内のアイリス絞りの状態に応じた光学的表示を絞り状態表示部３４に行わせる。【選択図】　　　　図２
2004086082.tif 000002
【特許請求の範囲】
【請求項１】
ズームレンズ，アイリス絞り及びフォーカスレンズを含んだ可動光学系を内蔵した鏡胴と、
該鏡胴の外周面部に設けられたフォーカス調整可動機構，ズーミング調整可動機構及び絞り調整可動機構と、
該フォーカス調整可動機構，ズーミング調整可動機構及び絞り調整可動機構に関連した上記フォーカスレンズ，ズームレンズ及びアイリス絞りに対する駆動制御手段と、
上記鏡胴の外周面部における上記フォーカス調整可動機構，ズーミング調整可動機構及び絞り調整可動機構の近傍に配された第１，第２及び第３の光学的表示手段と、
上記鏡胴内における上記フォーカスレンズの位置，上記ズームレンズの位置及び上記アイリス絞りの状態を夫々検出する第１，第２及び第３の検出手段と、
上記第１の検出手段により検出されたフォーカスレンズの位置に応じた表示を上記第１の光学的表示手段に行わせる第１の表示制御手段と、
上記第２の検出手段により検出されたズームレンズの位置に応じた表示を上記第２の光学的表示手段に行わせる第２の表示制御手段と、
上記第３の検出手段により検出されたアイリス絞りの状態に応じた表示を上記第３の光学的表示手段に行わせる第３の表示制御手段と、
を備えて構成されるビデオカメラの光学系制御装置。
【請求項２】
第１の光学的表示手段がフォーカス調整可動機構に近接した位置に配され、第２の光学的表示手段がズーミング調整可動機構に近接した位置に配され、第３の光学的表示手段が絞り調整可動機構に近接した位置に配されることを特徴とする請求項１記載のビデオカメラの光学系制御装置。
【請求項３】
フォーカス調整可動機構，ズーミング調整可動機構及び絞り調整可動機構の夫々が鏡胴の外周面部を一周するリング状を成すものとされ、第１の光学的表示手段が上記フォーカス調整可動機構に沿って配され、第２の光学的表示手段が上記ズーミング調整可動機構に沿って配され、第３の光学的表示手段が上記絞り調整可動機構に沿って配されることを特徴とする請求項２記載のビデオカメラの光学系制御装置。
【請求項４】
第１，第２及び第３の光学的表示手段の夫々が、色光を発する発光表示を行うことを特徴とする請求項１記載のビデオカメラの光学系制御装置。
【請求項５】
第１，第２及び第３の光学的表示手段の夫々が、複数の発光素子が配列配置されて形成されることを特徴とする請求項４記載のビデオカメラの光学系制御装置。
【請求項６】
第１，第２及び第３の光学的表示手段の夫々が、配列配置された複数の発光素子のうちの発光するものの位置を、第１の検出手段により検出されたフォーカスレンズの位置，第２の検出手段により検出されたズームレンズの位置もしくは第３の検出手段により検出されたアイリス絞りの状態に応じて変化させることを特徴とする請求項５記載のビデオカメラの光学系制御装置。
【請求項７】
第１，第２及び第３の光学的表示手段の夫々における配列配置された複数の発光素子のうちの両端部に配されたものと上記両端部間に配されたものとが、互いに異なる色光を発することを特徴とする請求項６記載のビデオカメラの光学系制御装置。
【請求項８】
駆動制御手段が、ズーミング調整可動機構の作動に応じた信号もしくは外部からのズーミング調整用制御信号に従って、ズーミングレンズをその光軸に沿う方向に移動させる第１の光学系駆動手段と、絞り調整可動機構の作動に応じた信号もしくは外部からの絞り調整用制御信号に従って、アイリス絞りを駆動する第２の光学系駆動手段と、フォーカス調整可動機構の作動に応じた信号もしくは外部からのフォーカス調整用制御信号に従って、フォーカスレンズをその光軸に沿う方向に移動させる第３の光学系駆動手段とを含んで成ることを特徴とする請求項１記載のビデオカメラの光学系制御装置。
【請求項９】
第１の検出手段，第２の検出手段及び第３の検出手段が、夫々、フォーカスレンズの位置をあらわす第１の検出出力信号，ズーミングレンズの位置をあらわす第２の検出出力信号及びアイリス絞りの状態をあらわす第３の検出出力信号を発生し、第１の表示制御手段が上記第１の検出出力信号に応じて第１の光学的表示手段を作動させ、第２の表示制御手段が上記第２の検出出力信号に応じて第２の光学的表示手段を作動させ、第３の表示制御手段が上記第３の検出出力信号に応じて第３の光学的表示手段を作動させることを特徴とする請求項１記載のビデオカメラの光学系制御装置。
【発明の詳細な説明】
【０００１】
【発明の属する技術分野】
本願の特許請求の範囲に記載された発明は、内部にズームレンズ，アイリス絞り及びフォーカスレンズを含む可動光学系が配されるとともに、外周面部にフォーカス調整，ズーミング調整及び絞り調整のための可動機構が設けられた鏡胴を備え、ビデオカメラの一部を成すものとされる、ビデオカメラの光学系制御装置に関する。
【０００２】
【従来の技術】
ビデオカメラにおいては、被写体からの像光がレンズを含んだ光学系を通じて撮像部に入射するものとされ、撮像部における撮像面上に被写体像が投映されることになるが、撮像面上に投映される被写体像を、常時適切に焦点合わせがなされた鮮鋭なものとされるように、自動的に制御するオートフォーカス制御が行われること、さらには、撮像面上に投映される被写体像の倍率を所定の範囲内で連続的に変化させることができるズーミングを行えること等が望まれる。そのため、可動光学系を内蔵した鏡胴が備えられ、その可動光学系についての目的に応じた制御がなされて、オートフォーカス制御，ズーミング等が実行される。
【０００３】
このようなビデオカメラの鏡胴内に備えられる可動光学系は、例えば、前端レンズ，ズームレンズ，アイリス絞り，フォーカスレンズ等を含んで構成される。そして、アイリス絞りが、撮像部に入射する像光の光量を調整すべく状態変化を生じるものとされるとともに、ズームレンズ及びフォーカスレンズの夫々が、その光軸に沿う方向に移動するものとされる。
【０００４】
鏡胴の内部に配される、例えば、前端レンズ，ズームレンズ，アイリス絞り，フォーカスレンズ等を含んで構成される可動光学系における、フォーカスレンズの位置、ズームレンズの位置及びアイリス絞りの状態は、基本的には、夫々、鏡胴の外周面部に設けられるフォーカス調整可動機構，ズーミング調整可動機構及び絞り調整可動機構を操作することによって調整することができる。これらのフォーカス調整可動機構，ズーミング調整可動機構及び絞り調整可動機構の夫々は、図９に示される如く、例えば、鏡胴の外周面部を一周する回動可能リング状機構とされる。
【０００５】
図９は、従来提案されているビデオカメラの全体の外観を概略的に示す。この図９に示されるビデオカメラは、カメラ本体部１１とそれから突出した鏡胴１２とを備えている。そして、鏡胴１２には、その外周面部１３に、各々が外周面部１３を一周する回動可能リング状機構とされた、フォーカス調整可動機構１４，ズーミング調整可動機構１５及び絞り調整可動機構１６が、フッドが装着された先端部側からカメラ本体部１１側に向けて、順次配されている。これらのフォーカス調整可動機構１４，ズーミング調整可動機構１５及び絞り調整可動機構１６の夫々は、手動操作により鏡胴１２に対して独立に回動可能とされている。
【０００６】
斯かるもとで、オートフォーカス制御が行われる際には、フォーカスレンズがとるべき鏡胴内での適正な位置が、ズーミング状態、即ち、ズームレンズの鏡胴内での位置に応じて変動するものとされる。そして、フォーカスレンズに、鏡胴内での適正な位置を探るべく、その光軸に沿う方向の比較的小規模な往復移動とされるウオッブリングを行わせることが必要とされるが、斯かるフォーカスレンズのウオッブリングの規模は、焦点深度に関わるものとされ、焦点深度はアイリス絞りの状態によって定まる絞りの値に応じて変化する。従って、オートフォーカス制御は、フォーカスレンズの位置のみならず、ズームレンズの位置及びアイリス絞りの状態に関わる制御であって、フォーカスレンズをズームレンズ及びアイリス絞りに関連させて制御するためには、フォーカスレンズの位置についての情報，ズームレンズの位置についての情報及びアイリス絞りの状態についての情報が必要とされる。
【０００７】
また、ズーミングが行われる際には、撮像面上に投映される被写体像の変倍のためのズームレンズの移動に追従して、フォーカスレンズを移動させることが必要とされる。
【０００８】
上述のように、フォーカスレンズ，ズームレンズ及びアイリス絞りを、相互に関連させて制御するにあたっては、フォーカスレンズ，ズームレンズ及びアイリス絞りの夫々をそれに付随するものとして個別に設けられたモータによって駆動されるものとし、そのモータにプログラムされた移動量もしくは動作量に応じたモータ作動信号を供給することにより、フォーカスレンズ，ズームレンズ及びアイリス絞りの夫々に、プログラムされた移動量もしくは動作量をもっての移動もしくは動作を行わせる、電子制御システムが採用される場合が多い。そして、電子制御システムが採用された場合には、フォーカスレンズ，ズームレンズ及びアイリス絞りに夫々付随する複数個のモータ及びそれらに関連する回路構成部品は、鏡胴の内部に組み込まれるもの、あるいは、鏡胴の外部に配されるものとされる。また、電子制御方式が採られた場合には、鏡胴の外周面部に設けられるフォーカス調整可動機構，ズーミング調整可動機構及び絞り調整可動機構の夫々は、それに対する操作が行われるとき、その操作に応じた制御信号を発生して、フォーカスレンズ，ズームレンズ及びアイリス絞りの夫々に設けられたモータの作動に供するものとされる。
【０００９】
このような電子制御システムが採用されたもとにあっては、フォーカス調整可動機構，ズーミング調整可動機構及び絞り調整可動機構の操作によることなく、フォーカスレンズの移動，ズームレンズの移動及びアイリス絞りの動作が行われる状態がとられることになり、フォーカス調整可動機構，ズーミング調整可動機構及び絞り調整可動機構の夫々の、例えば、回動位置状態等の状態は、フォーカスレンズの位置，ズームレンズの位置もしくはアイリス絞りの状態に必ずしも対応していないことになる。従って、鏡胴の外周面部に設けられたフォーカス調整可動機構，ズーミング調整可動機構及び絞り調整可動機構の夫々の、例えば、回動位置状態等の状態を、鏡胴の内部におけるフォーカスレンズの位置，ズームレンズの位置もしくはアイリス絞りの状態をあらわす指標表示に利用することはできない。
【００１０】
そのため、電子制御システムが採用された可動光学系を備えるビデオカメラにあっては、鏡胴の内部におけるフォーカスレンズの位置，ズームレンズの位置及びアイリス絞りの状態をあらわす情報信号が形成され、斯かる情報信号に基づいて、鏡胴の内部におけるフォーカスレンズの位置，ズームレンズの位置及びアイリス絞りの状態についての情報が、付随するビューファインダ画面あるいはモニタ画面上に表示されるようになされている。図１０は、従来提案されているビデオカメラにおける、鏡胴の内部におけるフォーカスレンズの位置，ズームレンズの位置及びアイリス絞りの状態についての情報が表示されたビューファインダ画面あるいはモニタ画面を示す。図１０に示されるビューファインダ画面あるいはモニタ画面にあっては、鏡胴の内部におけるフォーカスレンズの位置が表示１７をもってあらわされ、鏡胴の内部におけるズームレンズの位置が表示１８をもってあらわされ、鏡胴の内部におけるアイリス絞りの状態が表示１９をもってあらわされている。
【００１１】
【発明が解決しようとする課題】
上述の如くに、ビデオカメラに備えられたビューファインダ画面あるいはモニタ画面上に、鏡胴の内部におけるフォーカスレンズの位置，ズームレンズの位置及びアイリス絞りの状態についての情報が表示されるもとにあっては、ビデオカメラの使用者は、ビューファインダ画面あるいはモニタ画面を見ることによって、そのときの鏡胴の内部におけるフォーカスレンズの位置，ズームレンズの位置及びアイリス絞りの状態を知ることができる。即ち、ビデオカメラの使用者は、当該ビデオカメラによる撮像中においても、例えば、ビューファインダ画面を通じて、フォーカスレンズの位置，ズームレンズの位置，アイリス絞りの状態等を把握することができるのである。
【００１２】
しかしながら、ビデオカメラの使用者は、実際にビデオカメラを作動させるにあたって、しばしば、ビューファインダ画面あるいはモニタ画面から目を離す。ビデオカメラの使用者にとって、長時間に亙ってビューファインダ画面あるいはモニタ画面を見続けることは疲労負担が重いので、疲労軽減のため、さらには、ビューファインダ画面あるいはモニタ画面を見ていたのでは、周囲状況を的確に把握することが困難であるので、周囲状況を正確に感知するため、ビューファインダ画面あるいはモニタ画面から目を離すことが必要とされるのである。このことは、ビデオカメラによる撮像をしている人を傍観するとき、あるいは、自分が実際にビデオカメラを使用して撮像をするとき、容易に実感されることである。
【００１３】
ところが、ビデオカメラの使用者は、ビューファインダ画面あるいはモニタ画面から目を離してしまうと、鏡胴の内部におけるフォーカスレンズの位置，ズームレンズの位置，アイリス絞りの状態等を知ることができない。そのため、例えば、ビデオカメラの使用者は、ビューファインダ画面あるいはモニタ画面から目を離すことになる撮像待機状態のもとにおいては、咄嗟にフォーカスレンズの位置，ズームレンズの位置，アイリス絞りの状態等を把握することができない。その結果、例えば、撮像待機状態中に、撮像がなされるべき決定的瞬間が到来しても、直ちに最適なフォーカスレンズの位置，ズームレンズの位置，アイリス絞りの状態等を設定することが困難とされ、その決定的瞬間における鮮明な撮像画像を得る機会を逃してしまうという事態がまねかれる虞がある。このような事態は、特に、ビデオカメラの使用者が、プロフェッショナルのカメラマンであるような場合には深刻な問題を生じることになりかねない。
【００１４】
さらに、プロフェッショナルのカメラマンがビデオカメラによる撮像を行う際には、ビューファインダ画面あるいはモニタ画面を見ることなく、撮像状態をとることも珍しいことではないが、その際にも、撮像状態中におけるフォーカスレンズの位置，ズームレンズの位置，アイリス絞りの状態等を把握することができないという問題がある。
【００１５】
斯かる点に鑑み、本願の特許請求の範囲に記載された発明は、内部にズームレンズ，アイリス絞り及びフォーカスレンズを含む可動光学系が配されるとともに、外周面部にフォーカス調整，ズーミング調整及び絞り調整のための可動機構が設けられた鏡胴を備え、可動光学系についての電子制御システムが採用される場合においても、鏡胴の内部におけるフォーカスレンズの位置，ズームレンズの位置，アイリス絞りの状態等を、ビデオカメラに備えられたビューファインダ画面あるいはモニタ画面から目を離した状態のもとで、迅速かつ正確に認識することができることになる、ビデオカメラの光学系制御装置を提供する。
【００１６】
【課題を解決するための手段】
本願の特許請求の範囲における請求項１から請求項９までのいずれかに記載された発明に係るビデオカメラの光学系制御装置は、ズームレンズ，アイリス絞り及びフォーカスレンズを含んだ可動光学系を内蔵した鏡胴と、鏡胴の外周面部に設けられたフォーカス調整可動機構，ズーミング調整可動機構及び絞り調整可動機構と、フォーカス調整可動機構，ズーミング調整可動機構及び絞り調整可動機構に関連したフォーカスレンズ，ズームレンズ及びアイリス絞りに対する駆動制御手段と、鏡胴の外周面部におけるフォーカス調整可動機構，ズーミング調整可動機構及び絞り調整可動機構の近傍に配された第１，第２及び第３の光学的表示手段と、鏡胴内におけるフォーカスレンズの位置，ズームレンズの位置及びアイリス絞りの状態を夫々検出する第１，第２及び第３の検出手段と、第１の検出手段により検出されたフォーカスレンズの位置に応じた表示を第１の光学的表示手段に行わせる第１の表示制御手段と、第２の検出手段により検出されたズームレンズの位置に応じた表示を第２の光学的表示手段に行わせる第２の表示制御手段と、第３の検出手段により検出されたアイリス絞りの状態に応じた表示を第３の光学的表示手段に行わせる第３の表示制御手段と、を備えて構成される。
【００１７】
特に、請求項２に記載された発明に係るビデオカメラの光学系制御装置は、第１の光学的表示手段がフォーカス調整可動機構に近接した位置に配され、第２の光学的表示手段がズーミング調整可動機構に近接した位置に配され、第３の光学的表示手段が絞り調整可動機構に近接した位置に配されるものとされる。
【００１８】
また、請求項５に記載された発明に係るビデオカメラの光学系制御装置は、第１，第２及び第３の光学的表示手段の夫々が、複数の発光素子が配列配置されて形成されて、色光を発する発光表示を行うものとされる。
【００１９】
上述の如くに構成される本願の特許請求の範囲における請求項１から請求項９までのいずれかに記載された発明に係るビデオカメラの光学系制御装置にあっては、鏡胴内におけるフォーカスレンズの位置に応じた表示，鏡胴内におけるズームレンズの位置に応じた表示、及び、鏡胴内におけるアイリス絞りの状態に応じた表示が、鏡胴の外周面部におけるフォーカス調整可動機構，ズーミング調整可動機構及び絞り調整可動機構の近傍に、例えば、第１の光学的表示手段がフォーカス調整可動機構に近接し、第２の光学的表示手段がズーミング調整可動機構に近接し、さらに、第３の光学的表示手段が絞り調整可動機構に近接して配された、第１，第２及び第３の光学的表示手段により夫々行われる。これらの第１，第２及び第３の光学的表示手段の夫々による表示は、第１，第２及び第３の光学的表示手段が、鏡胴の外周面部にフォーカス調整可動機構，ズーミング調整可動機構及び絞り調整可動機構の近傍となる位置、例えば、第１の光学的表示手段がフォーカス調整可動機構に近接した位置、第２の光学的表示手段がズーミング調整可動機構に近接した位置、さらに、第３の光学的表示手段が絞り調整可動機構に近接した位置に配されたものとされることにより、当該光学系制御装置が適用されたビデオカメラの使用者が直接かつ確実に見ることができるものとされる。
【００２０】
従って、鏡胴に内蔵されたズームレンズ，アイリス絞り及びフォーカスレンズを含む可動光学系についての電子制御方式が採られる場合においても、ビデオカメラの使用者が、鏡胴の内部におけるフォーカスレンズの位置，ズームレンズの位置，アイリス絞りの状態等を、第１，第２及び第３の光学的表示手段による表示によって、当該光学系制御装置が適用されたビデオカメラに備えられたビューファインダ画面あるいはモニタ画面から目を離した状態のもとで、迅速かつ正確に認識することができることになる。
【００２１】
また、第１，第２及び第３の光学的表示手段の夫々は、例えば、複数の発光素子が配列配置されて形成されて、色光を発する発光表示を行うものとされるが、斯かる際には、鏡胴の外周面部における第１，第２及び第３の光学的表示手段の夫々による表示が、格別の照明手段等を要することなく、視覚認識性が極めて高いものとして行われることになり、当該光学系制御装置が適用されたビデオカメラの使用者が、鏡胴の内部におけるフォーカスレンズの位置，ズームレンズの位置，アイリス絞りの状態等についての的確な把握を、極めて容易に行うことができる。
【００２２】
【発明の実施の形態】
図１は、本願の特許請求の範囲における請求項１から請求項９までのいずれかに記載された発明に係るビデオカメラの光学系制御装置の一例を示す。
【００２３】
図１に示される例においては、ズームレンズ２１，アイリス絞り２２及びフォーカスレンズ２３を含んだ可動光学系を内蔵した鏡胴２４が備えられている。鏡胴２４に内蔵された可動光学系は、ズームレンズ２１，アイリス絞り２２及びフォーカスレンズ２３に加えて、前端レンズ２５をも有しており、光学系支持筒状部２６によりその内部に支持された状態をもって、鏡胴２４に内蔵されている。
【００２４】
光学系支持筒状部２６内にあっては、その前方側から後方側へと、前端レンズ２５，ズームレンズ２１，アイリス絞り２２及びフォーカスレンズ２３が、共通光軸２７をもって順次配されている。前端レンズ２５はその位置が固定されており、それに対して、ズームレンズ２１及びフォーカスレンズ２３の夫々は、共通光軸２７に沿う方向に、光学系支持筒状部２６の前方側及び後方側へと、予め選定された所定の範囲内において移動可能とされている。
【００２５】
また、鏡胴２４の外周面部である鏡胴外周面部２８には、フォーカス調整可動機構２９，ズーミング調整可動機構３０及び絞り調整可動機構３１が設けられるとともに、フォーカスレンズ位置表示部３２，ズームレンズ位置表示部３３及び絞り状態表示部３４が設けられている。フォーカス調整可動機構２９，ズーミング調整可動機構３０及び絞り調整可動機構３１の夫々は、鏡胴外周面部２８を一周するリング状を成すものとされており、鏡胴外周面部２８に対してその周方向に回動可能とされている。また、フォーカスレンズ位置表示部３２，ズームレンズ位置表示部３３及び絞り状態表示部３４は、夫々、フォーカス調整可動機構２９，ズーミング調整可動機構３０及び絞り調整可動機構３１の近傍に配されている。
【００２６】
フォーカスレンズ位置表示部３２は、例えば、複数の発光素子が３２ａが、フォーカス調整可動機構２９に近接した位置においてフォーカス調整可動機構２９に沿って配列配置されて構成され、帯状をなすものとされている。そして、フォーカスレンズ位置表示部３２は、鏡胴２４の内部におけるフォーカスレンズ２３の位置に応じた表示を光学的に行う第１の光学的表示手段を形成している。
【００２７】
また、ズームレンズ位置表示部３３も、例えば、複数の発光素子が３３ａが、ズーミング調整可動機構３０に近接した位置においてズーミング調整可動機構３０に沿って配列配置されて構成され、帯状をなすものとされている。そして、ズームレンズ位置表示部３３は、鏡胴２４の内部におけるズームレンズ２１の位置に応じた表示を光学的に行う第２の光学的表示手段を形成している。
【００２８】
さらに、絞り状態表示部３４も、例えば、複数の発光素子が３４ａが、絞り調整可動機構３１に近接した位置において絞り調整可動機構３１に沿って配列配置されて構成され、帯状をなすものとされている。そして、絞り状態表示部３４は、鏡胴２４の内部におけるアイリス絞り２２の状態に応じた表示を光学的に行う第３の光学的表示手段を形成している。
【００２９】
図２は、上述の如くに、ズームレンズ２１，アイリス絞り２２及びフォーカスレンズ２３を含んだ可動光学系を内蔵し、鏡胴外周面部２８に、フォーカス調整可動機構２９，ズーミング調整可動機構３０，絞り調整可動機構３１，フォーカスレンズ位置表示部３２，ズームレンズ位置表示部３３及び絞り状態表示部３４が設けられた鏡胴２４の一例の外観を示す。この図２に示される例において、複数の発光素子３２ａが配列配置されて構成されるフォーカスレンズ位置表示部３２に沿って付されている数字は、フォーカス指標表示であり、また、複数の発光素子３３ａが配列配置されて構成されるズームレンズ位置表示部３３に沿って付されている数字は、ズーミング指標表示であり、さらに、複数の発光素子３４ａが配列配置されて構成される絞り状態表示部３４に沿って付されている数字は、絞り指標表示である。
【００３０】
そして、図２に示される例においては、フォーカス調整可動機構２９，ズーミング調整可動機構３０及び絞り調整可動機構３１の夫々には、それを鏡胴外周面部２８に対してその周方向に回動させるべく手動操作をするにあたって操作をし易くするための波状凹凸が、その周面部の全体に亙って形成されている。また、図２に示される例の前端部には、フッド３５が装着されている。
【００３１】
図３は、図２に示される鏡胴２４がその一部を成すものとされたビデオカメラの一例を示す。この図３に示されるビデオカメラの一例にあっては、鏡胴２４がカメラ本体３６の前端部に装着されてカメラ本体３６と一体化され、ビデオカメラを形成している。
【００３２】
図１に示される例にあっては、鏡胴２４の内部に、光学系支持筒状部２６内に配されたズームレンズ２１，アイリス絞り２２及びフォーカスレンズ２３に対する制御を行う電子制御システム構成部も組み込まれている。電子制御システム構成部には、ズームレンズ２１を駆動するモータ４０，アイリス絞り２２を駆動するモータ４１及びフォーカスレンズ２３を駆動するパルスモータ４２が含まれている。
【００３３】
モータ４０は、電子制御システム構成部に含まれた、例えば、マイクロコンピュータによって構成される動作制御部４３からのズーミング制御信号ＣＺが供給されるモータ作動信号形成部４４からの、ズーミング制御信号ＣＺに基づくモータ作動信号ＳＭＺに応じて作動する。モータ４０とモータ作動信号形成部４４とは、ズーミング制御信号ＣＺに応じてズームレンズ２１を共通光軸２７に沿う方向に移動させる第１の光学系駆動手段を形成している。
【００３４】
また、モータ４１は、動作制御部４３からの絞り制御信号ＣＤが供給されるモータ作動信号形成部４５からの、絞り制御信号ＣＤに基づくモータ作動信号ＳＭＤに応じて作動する。モータ４１とモータ作動信号形成部４５とは、絞り制御信号ＣＤに応じてアイリス絞り２２を駆動する第２の光学系駆動手段を形成している。
【００３５】
さらに、パルスモータ４２は、動作制御部４３からのフォーカス制御信号ＣＦが供給されるモータ作動信号形成部４６からの、フォーカス制御信号ＣＦに基づくモータ作動信号ＳＭＦに応じて作動する。パルスモータ４２とモータ作動信号形成部４６とは、フォーカス制御信号ＣＦに応じてフォーカスレンズ２３を共通光軸２７に沿う方向に移動させる第３の光学系駆動手段を形成している。
【００３６】
モータ４０によって駆動されるズームレンズ２１に対しては、その鏡胴２４の内部における位置を検出するズームレンズ位置検出部４７が設けられ、モータ４１によって駆動されるアイリス絞り２２に対しては、その鏡胴２４の内部における状態を検出する絞り状態検出部４８が設けられ、パルスモータ４２によって駆動されるフォーカスレンズ２３に対しては、その鏡胴２４の内部における位置を検出するフォーカスレンズ位置検出部４９が設けられている。これらの、ズームレンズ位置検出部４７，絞り状態検出部４８及びフォーカスレンズ位置検出部４９も、電子制御システム構成部に含まれている。
【００３７】
ズームレンズ位置検出部４７は、例えば、ロータリエンコーダを含んで構成され、検出したズームレンズ２１の位置をあらわす検出出力信号ＤＺを形成して、それを動作制御部４３に供給する。また、絞り状態検出部４８は、例えば、ホール素子を利用したエンコーダを含んで構成され、検出したアイリス絞り２２の状態をあらわす検出出力信号ＤＤを形成して、それを動作制御部４３に供給する。さらに、フォーカスレンズ位置検出部４９は、例えば、ロータリエンコーダを含んで構成され、検出したフォーカスレンズ２３の位置をあらわす検出出力信号ＤＦを形成して、それを動作制御部４３に供給する。
【００３８】
また、電子制御システム構成部には、動作制御部４３からのフォーカスレンズ位置信号ＣＰＦが供給され、そのフォーカスレンズ位置信号ＣＰＦに基づく表示制御信号ＳＤＦを形成して、それを鏡胴外周面部２８に設けられたフォーカスレンズ位置表示部３２に供給する表示制御信号形成部５０，動作制御部４３からのズームレンズ位置信号ＣＰＺが供給され、そのズームレンズ位置信号ＣＰＺに基づく表示制御信号ＳＤＺを形成して、それを鏡胴外周面部２８に設けられたズームレンズ位置表示部３３に供給する表示制御信号形成部５１、及び、動作制御部４３からの絞り状態信号ＣＣＤが供給され、その絞り状態信号ＣＣＤに基づく表示制御信号ＳＤＤを形成して、それを鏡胴外周面部２８に設けられた絞り状態表示部３４に供給する表示制御信号形成部５２も含まれている。フォーカスレンズ位置表示部３２は、表示制御信号形成部５０からの表示制御信号ＳＤＦに応じて作動して発光表示を行い、ズームレンズ位置表示部３３は、表示制御信号形成部５１からの表示制御信号ＳＤＺに応じて作動して発光表示を行い、絞り状態表示部３４は、表示制御信号形成部５２からの表示制御信号ＳＤＤに応じて作動して発光表示を行う。
【００３９】
斯かるもとで、表示制御信号形成部５０は、フォーカスレンズ位置検出部４９により検出されたフォーカスレンズ２３の位置に応じた表示をフォーカスレンズ位置表示部３２に行わせる第１の表示制御手段を形成し、表示制御信号形成部５１は、ズームレンズ位置検出部４７により検出されたズームレンズ２１の位置に応じた表示をズームレンズ位置表示部３３に行わせる第２の表示制御手段を形成し、表示制御信号形成部５２は、絞り状態検出部４８により検出されたアイリス絞り２２の状態に応じた表示を絞り状態表示部３４に行わせる第３の表示制御手段を形成している。
【００４０】
さらに、電子制御システム構成部には、鏡胴外周面部２８に設けられたフォーカス調整可動機構２９の回動を検出する回動検出部５３，鏡胴外周面部２８に設けられたズーミング調整可動機構３０の回動を検出する回動検出部５４、及び、鏡胴外周面部２８に設けられた絞り調整可動機構３１の回動を検出する回動検出部５５も含まれている。回動検出部５３は、例えば、ロータリエンコーダを含んで構成され、検出したフォーカス調整可動機構２９の回動をあらわす検出出力信号ＤＲＦを形成して、それを動作制御部４３に供給する。また、回動検出部５４は、例えば、ロータリエンコーダを含んで構成され、検出したズーミング調整可動機構３０の回動をあらわす検出出力信号ＤＲＺを形成して、それを動作制御部４３に供給する。さらに、回動検出部５５は、例えば、ロータリエンコーダを含んで構成され、検出した絞り調整可動機構３１の回動をあらわす検出出力信号ＤＲＤを形成して、それを動作制御部４３に供給する。
【００４１】
動作制御部４３は、それに付随するものとして設けられた書換可能読出専用メモリ（ＥＥＰＲＯＭ：ｅｌｅｃｔｒｉｃａｌｌｙ　ｅｒａｓａｂｌｅ／ｐｒｏｇｒａｍｍａｂｌｅ　ｒｅａｄ　ｏｎｌｙ　ｍｅｍｏｒｙ）５６との間でのデータ交換を行い、書換可能読出専用メモリ５６から取り込んだプログラムに従った制御動作を行う状態をとる。また、動作制御部４３には、外部から、フォーカス調整用制御信号，ズーミング調整用制御信号，絞り調整用制御信号等が外部制御信号ＣＣＯとして供給される。
【００４２】
このようなもとで、動作制御部４３は、以下に述べられるような制御動作を行う。
【００４３】
動作制御部４３に、外部からのフォーカス調整用制御信号が外部制御信号ＣＣＯとして供給されるとき、もしくは、回動検出部５３からの検出出力信号ＤＲＦが供給されるとき、動作制御部４３は、外部からのフォーカス調整用制御信号もしくは回動検出部５３からの検出出力信号ＤＲＦに所定の処理を施して、それに基づくフォーカス制御信号ＣＦを形成し、そのフォーカス制御信号ＣＦをモータ作動信号形成部４６に供給する。それにより、パルスモータ４２が、モータ作動信号形成部４６からの、フォーカス制御信号ＣＦに基づくモータ作動信号ＳＭＦに応じて作動し、光学系支持筒状部２６内に配されたフォーカスレンズ２３を、フォーカス制御信号ＣＦに従って共通光軸２７に沿う方向に移動させる。このとき、動作制御部４３は、フォーカス制御信号ＣＦに所定の処理を施して送出用フォーカス制御信号を形成し、それを外部送出信号ＣＯＴとして送出する。
【００４４】
同様に、動作制御部４３に、外部からのズーミング調整用制御信号が外部制御信号ＣＣＯとして供給されるとき、もしくは、回動検出部５４からの検出出力信号ＤＲＺが供給されるとき、動作制御部４３は、外部からのズーミング調整用制御信号もしくは回動検出部５４からの検出出力信号ＤＲＺに所定の処理を施して、それに基づくズーミング制御信号ＣＺを形成し、そのズーミング制御信号ＣＺをモータ作動信号形成部４４に供給する。それにより、モータ４０が、モータ作動信号形成部４４からの、ズーミング制御信号ＣＺに基づくモータ作動信号ＳＭＺに応じて作動し、光学系支持筒状部２６内に配されたズームレンズ２１を、ズーミング制御信号ＣＺに従って共通光軸２７に沿う方向に移動させる。このとき、動作制御部４３は、ズーミング制御信号ＣＺに所定の処理を施して送出用ズーミング制御信号を形成し、それを外部送出信号ＣＯＴとして送出する。
【００４５】
さらに、動作制御部４３に、外部からの絞り調整用制御信号が外部制御信号ＣＣＯとして供給されるとき、もしくは、回動検出部５５からの検出出力信号ＤＲＤが供給されるとき、動作制御部４３は、外部からの絞り調整用制御信号もしくは回動検出部５５からの検出出力信号ＤＲＤに所定の処理を施して、それに基づく絞り制御信号ＣＤを形成し、その絞り制御信号ＣＤをモータ作動信号形成部４５に供給する。それにより、モータ４１が、モータ作動信号形成部４５からの、絞り制御信号ＣＤに基づくモータ作動信号ＳＭＤに応じて作動し、光学系支持筒状部２６内に配されたアイリス絞り２２を作動させて、その状態を絞り制御信号ＣＤに従って変化させる。このとき、動作制御部４３は、絞り制御信号ＣＤに所定の処理を施して送出用絞り制御信号を形成し、それを外部送出信号ＣＯＴとして送出する。
【００４６】
また、動作制御部４３は、フォーカスレンズ位置検出部４９から供給される検出出力信号ＤＦに所定の処理を施して、それに基づくフォーカスレンズ位置信号ＣＰＦを形成し、それを表示制御信号形成部５０に供給する。それにより、鏡胴外周面部２８に設けられたフォーカスレンズ位置表示部３２が、表示制御信号形成部５０からの、フォーカスレンズ位置信号ＣＰＦに基づく表示制御信号ＳＤＦに応じて作動し、例えば、配列配置された複数の発光素子３２ａのうちのフォーカスレンズ位置信号ＣＰＦに対応する位置に配された１個もしくは２個を発光させることにより、光学系支持筒状部２６内に配されたフォーカスレンズ２３の位置についての光学的表示を行う。このとき、動作制御部４３は、フォーカスレンズ位置信号ＣＰＦに所定の処理を施して送出用フォーカスレンズ位置信号を形成し、それを外部送出信号ＣＯＴとして送出する。
【００４７】
これとともに、動作制御部４３は、ズームレンズ位置検出部４７から供給される検出出力信号ＤＺに所定の処理を施して、それに基づくズームレンズ位置信号ＣＰＺを形成し、それを表示制御信号形成部５１に供給する。それにより、鏡胴外周面部２８に設けられたズームレンズ位置表示部３３が、表示制御信号形成部５１からの、ズームレンズ位置信号ＣＰＺに基づく表示制御信号ＳＤＺに応じて作動し、例えば、配列配置された複数の発光素子３３ａのうちのズームレンズ位置信号ＣＰＺに対応する位置に配された１個もしくは２個を発光させることにより、光学系支持筒状部２６内に配されたズームレンズ２１の位置についての光学的表示を行う。このとき、動作制御部４３は、ズームレンズ位置信号ＣＰＺに所定の処理を施して送出用ズームレンズ位置信号を形成し、それを外部送出信号ＣＯＴとして送出する。
【００４８】
同様に、動作制御部４３は、絞り状態検出部４８から供給される検出出力信号ＤＤに所定の処理を施して、それに基づく絞り状態信号ＣＣＤを形成し、それを表示制御信号形成部５２に供給する。それにより、鏡胴外周面部２８に設けられた絞り状態表示部３４が、表示制御信号形成部５２からの、絞り状態信号ＣＣＤに基づく表示制御信号ＳＤＤに応じて作動し、例えば、配列配置された複数の発光素子３４ａのうちの絞り状態信号ＣＣＤに対応する位置に配された１個もしくは２個を発光させることにより、光学系支持筒状部２６内に配されたアイリス絞り２２の状態についての光学的表示を行う。このとき、動作制御部４３は、絞り状態信号ＣＣＤに所定の処理を施して送出用絞り状態信号を形成し、それを外部送出信号ＣＯＴとして送出する。
【００４９】
上述のようにして、鏡胴外周面部２８に設けられたフォーカスレンズ位置表示部３２，ズームレンズ位置表示部３３及び絞り状態表示部３４の夫々による光学的表示が行われるにあたり、望ましくは、例えば、ズームレンズ位置表示部３３を取り上げると、配列配置された複数の発光素子３３ａのうちの発光すべきものが、ズームレンズ位置表示部３３に沿って付されたズーミング指標表示のうちの隣り合う２個の間に対応する場合には、図４に示されるように、２個の発光素子３３ａが発光状態とされ、また、複数の発光素子３３ａのうちの発光すべきものが、ズームレンズ位置表示部３３に沿って付されたズーミング指標表示のうちのいずれかに対応する、もしくは、ズーミング指標表示のうちのいずれかに近接している場合には、図５に示されるように、１個の発光素子３３ａが発光状態とされる。このようにされることにより、複数の発光素子３３ａによる、ズーミング指標表示の分解能を超えた細かさをもっての発光表示を行うことができることになる。
【００５０】
さらに、望ましくは、例えば、上述と同様にズームレンズ位置表示部３３を取り上げると、配列配置された複数の発光素子３３ａのうちの発光すべきものが、或る一つ（ｎ番目のもの）からその次の一つ（ｎ＋１番目のもの）に移行するに際しては、図６のＡに示されるように、ｎ番目のもの（図６において（ｎ）として示す）のみが継続発光する状態から、図６のＢに示されるように、ｎ番目のものが継続発光するとともにｎ＋１番目のもの（図６において（ｎ＋１）として示す）が点滅発光する状態に移り、さらに、図６のＣに示されるように、ｎ番目のものが点滅発光するとともにｎ＋１番目のものが継続発光する状態に移り、その後、図６のＤに示されるように、ｎ＋１番目のもののみが継続発光する状態となるようにされる。このようにされることにより、鏡胴２４の内部におけるズームレンズ２１の位置が変動中であることを、ズームレンズ位置表示部３３によって明瞭に認識できることになる。
【００５１】
そして、望ましくは、このようなズームレンズ位置表示部３３による表示態様と同様な表示態様が、フォーカスレンズ位置表示部３２及び絞り状態表示部３４の夫々においてもとられる。それにより、フォーカスレンズ位置表示部３２を構成する複数の発光素子３２ａによる、フォーカス指標表示の分解能を超えた細かさをもっての発光表示を行うことができることになるとともに、鏡胴２４の内部におけるフォーカスレンズ２３の位置が変動中であることを、フォーカスレンズ位置表示部３２によって明瞭に認識できることになり、また、絞り状態表示部３４を構成する複数の発光素子３４ａによる、絞り指標表示の分解能を超えた細かさをもっての発光表示を行うことができることになるとともに、鏡胴２４の内部におけるアイリス絞り２２の状態が変動中であることを、絞り状態表示部３４によって明瞭に認識できることになる。
【００５２】
フォーカスレンズ位置表示部３２を構成する配列配置された複数の発光素子３２ａ，ズームレンズ位置表示部３３を構成する配列配置された複数の発光素子３３ａ、及び、絞り状態表示部３４を構成する配列配置された複数の発光素子３４ａの夫々は、例えば、両端に位置する２個と、それらより１個もしくは２個まで内側に位置する２個もしくは４個と、その他のものとが、互いに異なる色光を発するものとされる。図７はその一例を示し、この図７に示される例にあっては、フォーカスレンズ位置表示部３２を構成する複数の発光素子３２ａ，ズームレンズ位置表示部３３を構成する複数の発光素子３３ａ、及び、絞り状態表示部３４を構成する複数の発光素子３４ａの夫々が、両端に位置する２個が赤色光を発する赤色光発光素子とされ、それらより１個内側に位置する２個が、黄色光を発する黄色光発光素子とされ、その他のものが、緑色光を発する緑色光発光素子とされている。
【００５３】
フォーカスレンズ位置表示部３２を構成する複数の発光素子３２ａ，ズームレンズ位置表示部３３を構成する複数の発光素子３３ａ、及び、絞り状態表示部３４を構成する複数の発光素子３４ａの夫々において、その両端に位置する２個は、夫々、フォーカスレンズ位置の可動域の限界，ズームレンズ位置の可動域の限界、及び、アイリス絞りの作動域の限界に対応し、また、両端に位置する２個より１個もしくは２個まで内側に位置する２個もしくは４個は、夫々、フォーカスレンズ位置の可動域の限界の直前，ズームレンズ位置の可動域の限界の直前、及び、アイリス絞りの作動域の限界の直前に対応している。それゆえ、両端に位置する２個と、それらより１個もしくは２個まで内側に位置する２個もしくは４個と、その他のものとが、互いに異なる色光を発するものとされることにより、フォーカスレンズの位置，ズームレンズの位置もしくはアイリス絞りの状態が、可動域もしくは作動域の限界の直前となったこと、あるいは、可動域もしくは作動域の限界に達したことを、一目瞭然に認識することができる。
【００５４】
例えば、図７に示される例の場合には、複数の発光素子３２ａ，３３ａもしくは３４ａのうちの緑色光発光素子が発光している場合には、フォーカスレンズの位置，ズームレンズの位置もしくはアイリス絞りの状態が、可動域もしくは作動域の限界から離れたもとにあること、複数の発光素子３２ａ，３３ａもしくは３４ａのうちの黄色光発光素子が発光している場合には、フォーカスレンズの位置，ズームレンズの位置もしくはアイリス絞りの状態が、可動域もしくは作動域の限界の直前となったこと、そして、複数の発光素子３２ａ，３３ａもしくは３４ａのうちの赤色光発光素子が発光している場合には、フォーカスレンズの位置，ズームレンズの位置もしくはアイリス絞りの状態が、可動域もしくは作動域の限界に達したことを、一目瞭然に認識することができることになる。
【００５５】
上述の本願の特許請求の範囲における請求項１から請求項９までのいずれかに記載された発明に係るビデオカメラの光学系制御装置の例においては、その鏡胴外周面部２８に設けられるフォーカスレンズ位置表示部３２，ズームレンズ位置表示部３３及び絞り状態表示部３４の夫々が、鏡胴外周面部２８における、図８において角度範囲αとして示されるような、鏡胴２４の仮想中心軸線を中心とした１２０度程度の角度範囲に亙って、鏡胴外周面部２８の周方向に伸びるものとされている。
【００５６】
斯かるもとにおいては、上述の例が適用されたビデオカメラの実際の使用にあたり、フォーカスレンズ位置表示部３２，ズームレンズ位置表示部３３及び絞り状態表示部３４の夫々のうちの、例えば、鏡胴外周面部２８における、図８において角度範囲α’として示されるような、ビデオカメラの使用者にとって鏡胴２４の下方側となる、鏡胴２４の仮想中心軸線を中心とした３０度程度の角度範囲に配された部分は、ビデオカメラの使用者が容易に見ることができないものとされる虞がある。
【００５７】
そこで、本願の特許請求の範囲における請求項１から請求項９までのいずれかに記載された発明に係るビデオカメラの光学系制御装置にあっては、鏡胴外周面部２８に設けられるフォーカスレンズ位置表示部３２，ズームレンズ位置表示部３３及び絞り状態表示部３４の夫々を、鏡胴外周面部２８における、図８において角度範囲βとして示されるような、鏡胴２４の仮想中心軸線を中心とした９０度程度の角度範囲に亙って、鏡胴外周面部２８の周方向に伸びるものに短縮することが考えられる。斯かる場合には、ビデオカメラの使用者は、鏡胴外周面部２８に設けられるフォーカスレンズ位置表示部３２，ズームレンズ位置表示部３３及び絞り状態表示部３４の夫々の全体を、極めて容易に見ることができる。
【００５８】また、上述の本願の特許請求の範囲における請求項１から請求項９までのいずれかに記載された発明に係るビデオカメラの光学系制御装置の例においては、鏡胴２４の外周面部に設けられる光学的表示手段が、鏡胴外周面部２８に設けられたフォーカスレンズ位置表示部３２，ズームレンズ位置表示部３３及び絞り状態表示部３４とされ、それらの夫々が、配列配置された複数の発光素子３２ａ，３３ａもしくは３４ａにより構成されて発光表示を行うものとされているが、本願の特許請求の範囲における請求項１から請求項９までのいずれかに記載された発明に係るビデオカメラの光学系制御装置において鏡胴の外周面部に設けられる光学的表示手段は、このような例に限られるものではなく、例えば、発光素子に代え、液晶表示手段等の他の表示手段が用いられて構成されるものとされてもよい。
【００５９】
さらに、上述の本願の特許請求の範囲における請求項１から請求項９までのいずれかに記載された発明に係るビデオカメラの光学系制御装置の例においては、ズームレンズ２１，アイリス絞り２２及びフォーカスレンズ２３等を支持する光学系支持筒状部２６に加えて、それらズームレンズ２１，アイリス絞り２２及びフォーカスレンズ２３に対する制御を行う、モータ４０及び４１，パルスモータ４２及び動作制御部４３等々を含む電子制御システム構成部が、鏡胴２４の内部に組み込まれているが、本願の特許請求の範囲における請求項１から請求項９までのいずれかに記載された発明に係るビデオカメラの光学系制御装置にあっては、鏡胴内に配されたズームレンズ，アイリス絞り及びフォーカスレンズに対する制御を行う電子制御システム構成部が、鏡胴の外部に配されるものとされてもよい。
【００６０】
【発明の効果】
以上の説明から明らかな如く、本願の特許請求の範囲における請求項１から請求項９までのいずれかに記載された発明に係るビデオカメラの光学系制御装置によれば、鏡胴内におけるフォーカスレンズの位置に応じた表示，鏡胴内におけるズームレンズの位置、及び、鏡胴内におけるアイリス絞りの状態に応じた表示が、鏡胴の外周面部にフォーカス調整可動機構，ズーミング調整可動機構及び絞り調整可動機構の近傍となる位置、例えば、第１の光学的表示手段がフォーカス調整可動機構に近接した位置、第２の光学的表示手段がズーミング調整可動機構に近接した位置、さらに、第３の光学的表示手段が絞り調整可動機構に近接した位置に配されたものとされる第１，第２及び第３の光学的表示手段により夫々行われる。それゆえ、当該光学系制御装置が適用されたビデオカメラの使用者は、鏡胴内におけるフォーカスレンズの位置に応じた表示，鏡胴内におけるズームレンズの位置に応じた表示、及び、鏡胴内におけるアイリス絞りの状態に応じた表示を、極めて容易に、しかも、直接かつ確実に見ることができる。
【００６１】
従って、鏡胴に内蔵されたズームレンズ，アイリス絞り及びフォーカスレンズを含む可動光学系についての電子制御システムが採用される場合においても、当該光学系制御装置が適用されたビデオカメラの使用者が、鏡胴の内部におけるフォーカスレンズの位置，ズームレンズの位置，アイリス絞りの状態等を、第１，第２及び第３の光学的表示手段による表示によって、ビデオカメラに備えられたビューファインダ画面あるいはモニタ画面から目を離した状態のもとで、迅速かつ正確に認識することができることになる。
【００６２】
また、第１，第２及び第３の光学的表示手段の夫々は、例えば、複数の発光素子が配列配置されて形成されて、色光を発する発光表示を行うものとされるが、斯かる際には、鏡胴の外周面部における第１，第２及び第３の光学的表示手段の夫々による表示が、格別の照明手段等を要することなく、視覚認識性が極めて高いものとして行われることになり、当該光学系制御装置が適用されたビデオカメラの使用者が、鏡胴の内部におけるフォーカスレンズの位置，ズームレンズの位置，アイリス絞りの状態等についての的確な把握を、極めて容易に行うことができる。
【図面の簡単な説明】
【図１】本願の特許請求の範囲における請求項１から請求項９までのいずれかに記載された発明に係るビデオカメラの光学系制御装置の一例をあらわすブロック構成図である。
【図２】図１に示される例における鏡胴の一例の外観を示す側面図である。
【図３】図２に示される鏡胴の一例がその一部を成すビデオカメラの全体を概略的に示す斜視図である。
【図４】図１に示される例におけるズームレンズ位置表示部の動作説明に供される部分側面図である。
【図５】図１に示される例におけるズームレンズ位置表示部の動作説明に供される部分側面図である。
【図６】図１に示される例におけるズームレンズ位置表示部の動作説明に供される部分側面図である。
【図７】図１に示される例におけるフォーカスレンズ位置表示部，ズームレンズ位置表示部及び絞り状態表示部の説明に供される概念図である。
【図８】図１に示される例におけるフォーカスレンズ位置表示部，ズームレンズ位置表示部及び絞り状態表示部についての変形例の説明に供される概念図である。
【図９】従来提案されている鏡胴がその一部を成すビデオカメラの全体を概略的に示す斜視図である。
【図１０】従来提案されているビデオカメラにおけるフォーカスレンズ位置の表示，ズームレンズ位置の表示及び絞り状態の表示の説明に供される概念図である。
【符号の説明】
２１・・・ズームレンズ，　２２・・・アイリス絞り，　２３・・・フォーカスレンズ，　２４・・・鏡胴，　２５・・・前端レンズ，　２６・・・光学系支持筒状部，　２８・・・鏡胴外周面部，　２９・・・フォーカス調整可動機構，３０・・・ズーミング調整可動機構，　３１・・・絞り調整可動機構，　３２・・・フォーカスレンズ位置表示部，　３２ａ，３３ａ，３４ａ・・・発光素子，　３３・・・ズームレンズ位置表示部，　３４・・・絞り状態表示部，　　４０，４１・・・モータ，　４２・・・パルスモータ，　４３・・・動作制御部，　４４，４５，４６・・・モータ作動信号形成部，　４７・・・ズームレンズ位置検出部，　４８・・・絞り状態検出部，　４９・・・フォーカスレンズ位置検出部，　５０，５１，５２・・・表示制御信号形成部，　５３，５４，５５・・・回動検出部
【図１】
2004086082.tif 000003
【図２】
2004086082.tif 000004
【図３】
2004086082.tif 000005
【図４】
2004086082.tif 000006
【図５】
2004086082.tif 000007
【図６】
2004086082.tif 000008
【図７】
2004086082.tif 000009
【図８】
2004086082.tif 000010
【図９】
2004086082.tif 000011
【図１０】
2004086082.tif 000012